(57)【要約】【課題】  光ディスクの全面消去の実行中に、光ディスクの全面消去の実行の中止を指令して光ディスクの全面消去の実行を中止させて、光ディスクの未消去データを復元することができるようにする。【解決手段】  光ディスクのリードインエリアの情報を読み出して、読み出された情報を一時的に保存し、光ディスクのリードインエリアを消去して、光ディスクの外周側から光ディスクのデータを順次消去して光ディスクのデータを全面消去し、光ディスクの全面消去の実行中に、光ディスクの全面消去の実行の停止が指令されたとき、光ディスクの全面消去の実行を停止し、一時的に保存されているリードインエリアの情報を光ディスクの未消去領域のデータに基づいて光ディスクのリードインエリアに書き込んでリードインエリアを復元し、光ディスクの未消去領域のデータを復元するようにする。【選択図】        図４
2005166178.tif 000002
【特許請求の範囲】
【請求項１】
書き換えと消去とが可能な光ディスクを記録再生するディスク装置であって、
光ディスクのリードインエリアの情報を読み出す読出手段と、前記読出手段により読み出された情報を一時的に保存する一時記憶手段と、光ディスクのリードインエリアを消去し、光ディスクの外周側から光ディスクのデータを順次消去して光ディスクのデータを全面消去する消去手段と、前記消去手段による光ディスクの全面消去の実行の停止を指令するリモコン装置又はディスク装置の操作パネルに設けられた停止キーと、前記消去手段による光ディスクの全面消去の実行中に、前記指令手段により光ディスクの全面消去の実行の停止が指令されたとき、前記消去手段による光ディスクの全面消去の実行を停止し、光ディスクの未消去領域のデータに基づいて前記一時記憶手段に保存されているリードインエリアの情報を修正して、修正されたリードインエリアの情報を光ディスクのリードインエリアに書き込んでリードインエリアを復元し、光ディスクの未消去領域のデータを復元する復元手段とを備えたことを特徴とするディスク装置。
【請求項２】
書き換えと消去とが可能な光ディスクを記録再生するディスク装置であって、
光ディスクのリードインエリアの情報を読み出す読出手段と、前記読出手段により読み出された情報を一時的に保存する一時記憶手段と、光ディスクのリードインエリアを消去し、光ディスクの外周側から光ディスクのデータを順次消去して光ディスクのデータを全面消去する消去手段と、前記消去手段による光ディスクの全面消去の実行の停止を指令する指令手段と、前記消去手段による光ディスクの全面消去の実行中に、前記指令手段により光ディスクの全面消去の実行の停止が指令されたとき、前記消去手段による光ディスクの全面消去の実行を停止し、前記一時記憶手段に保存されているリードインエリアの情報を光ディスクの未消去領域のデータに基づいて光ディスクのリードインエリアに書き込んでリードインエリアを復元し、光ディスクの未消去領域のデータを復元する復元手段とを備えたことを特徴とするディスク装置。
【請求項３】
前記復元手段は、光ディスクの未消去領域のデータに基づいて前記一時記憶手段に保存されているリードインエリアの情報を修正して、修正されたリードインエリアの情報を光ディスクのリードインエリアに書き込んでリードインエリアを復元し、光ディスクの未消去領域のデータを復元する復元手段であることを特徴とする請求項２記載のディスク装置。
【請求項４】
前記指令手段は、リモコン装置に設けられた停止キーであることを特徴とする請求項２記載のディスク装置。
【請求項５】
前記指令手段は、ディスク装置の操作パネルに設けられた停止キーであることを特徴とする請求項２記載のディスク装置。
【発明の詳細な説明】
【技術分野】
【０００１】
本発明は、書き換えと消去とが可能なＤＶＤ−ＲＷ（Ｄｉｇｉｔａｌ  Ｖｅｒｓａｔｉｌｅ  Ｄｉｓｃ−ＲｅＷｒｉｔａｂｌｅ）等の光ディスクを記録再生するディスク装置に係り、特に光ディスクの消去の実行中に、光ディスクの消去の実行を中止して光ディスクのデータを復元することができるディスク装置に関する。
【背景技術】
【０００２】
一般に、ＤＶＤ−ＲＷ等の光ディスクを記録再生するディスク装置は、光ディスクの全面消去が実行されると、光ディスクの最内周から最外周までの全ての情報とデータとが消去されるため、全面消去された光ディスクのデータを復元することができなくなるいう問題点があった。また、光ディスクの高速消去が実行されると、光ディスクの最内周のリードインエリアの情報が消去されるため、高速消去された光ディスクのデータを復元することができなくなるいう問題点があった。
背景技術としては、光ディスクのデータ管理情報（ＵＴＯＣ）エリアより読み取ったＵＴＯＣ情報を、ＵＴＯＣ情報管理用記憶部とＵＴＯＣバックアップ記憶部とに保存して、曲の削除に基づいてＵＴＯＣ情報管理用記憶部の内容を更新して光ディスクのＵＴＯＣエリアに書き込み、消去の中止が指示されたとき、バックアップ記憶部に記憶されているＵＴＯＣ情報を光ディスクのＵＴＯＣエリアに書き込んで消去前のＵＴＯＣ情報を復元するようにしたものがあった（例えば、特許文献１参照）。
また、光ディスクのデータを管理する中間記録管理領域（ＰＭＡ）、管理領域（最初のリードイン、最初のトラックのトラックディスクリプタ）のみを消去する簡易消去処理を実行する際に、簡易消去処理前に消去処理情報を光ディスクの中間記録管理領域に記録し、簡易消去処理では消去処理情報を消去しない簡易消去処理を実施中若しくは実施済みであることを示す消去処理情報と簡易消去前の光ディスクの最大既記録アドレス情報とを光ディスクの中間記録管理領域に記録するようにしたものがあった（例えば、特許文献２参照）。
【特許文献１】特開平９−２１３０５８号公報
【特許文献２】特開２００１−３３２０２６号公報
【発明の開示】
【発明が解決しようとする課題】
【０００３】
しかしながら、背景技術で述べたもののうち前者においては、光ディスクのＵＴＯＣエリアより読み取ったＵＴＯＣ情報を、ＵＴＯＣ情報管理用記憶部とＵＴＯＣバックアップ記憶部とに保存して、曲の削除に基づいてＵＴＯＣ情報管理用記憶部の内容を更新して光ディスクのＵＴＯＣエリアに書き込み、消去の中止が指示されたとき、バックアップ記憶部に記憶されているＵＴＯＣ情報を光ディスクのＵＴＯＣエリアに書き込んで消去前のＵＴＯＣ情報を復元するようにしたものであって、光ディスクの全面消去の実行中に、光ディスクの全面消去の実行を中止して、光ディスクの未消去データを復元するようにしたものではなかった。
また、後者においては、光ディスクのデータを管理する中間記録管理領域、管理領域のみを消去する簡易消去処理を実行する際に、簡易消去処理前に消去処理情報を光ディスクの中間記録管理領域に記録し、簡易消去処理では消去処理情報を消去しない簡易消去処理を実施中若しくは実施済みであることを示す消去処理情報と簡易消去前の光ディスクの最大既記録アドレス情報とを光ディスクの中間記録管理領域に記録するようにしたものであって、上記同様、光ディスクの全面消去の実行中に、光ディスクの全面消去の実行を中止して、光ディスクの未消去データを復元するようにしたものではなかった。
本発明は、背景技術の有するこのような問題点に鑑みてなされたものであり、その目的とするところは、光ディスクの全面消去の実行中に、光ディスクの全面消去の実行の中止を指令して光ディスクの全面消去の実行を中止させて、光ディスクの未消去データを復元することができるディスク装置を提供しようとするものである。
【課題を解決するための手段】
【０００４】
上記目的を達成するため本発明においては、書き換えと消去とが可能な光ディスクを記録再生するディスク装置であって、光ディスクのリードインエリアの情報を読み出す読出手段と、前記読出手段により読み出された情報を一時的に保存する一時記憶手段と、光ディスクのリードインエリアを消去し、光ディスクの外周側から光ディスクのデータを順次消去して光ディスクのデータを全面消去する消去手段と、前記消去手段による光ディスクの全面消去の実行の停止を指令する指令手段と、前記消去手段による光ディスクの全面消去の実行中に、前記指令手段により光ディスクの全面消去の実行の停止が指令されたとき、前記消去手段による光ディスクの全面消去の実行を停止し、前記一時記憶手段に保存されているリードインエリアの情報を光ディスクの未消去領域のデータに基づいて光ディスクのリードインエリアに書き込んでリードインエリアを復元し、光ディスクの未消去領域のデータを復元する復元手段とを備える。
前記復元手段は、光ディスクの未消去領域のデータに基づいて前記一時記憶手段に保存されているリードインエリアの情報を修正して、修正されたリードインエリアの情報を光ディスクのリードインエリアに書き込んでリードインエリアを復元し、光ディスクの未消去領域のデータを復元するようにするとよい。
前記指令手段は、リモコン装置に設けられた停止キーであるとよい。
また、前記指令手段は、ディスク装置の操作パネルに設けられた停止キーであるとよい。
これらの手段により、光ディスクの全面消去の実行中に、光ディスクの全面消去の実行の中止を指令して光ディスクの全面消去の実行を中止させて、光ディスクの未消去データを復元することができる。
【発明の効果】
【０００５】
請求項１記載の発明に係るディスク装置によれば、光ディスクのリードインエリアの情報を読み出して、読み出された情報を一時的に保存し、光ディスクのリードインエリアを消去して、光ディスクの外周側から光ディスクのデータを順次消去して光ディスクのデータを全面消去し、光ディスクの全面消去の実行中に、光ディスクの全面消去の実行の停止が指令されたとき、光ディスクの全面消去の実行を停止し、光ディスクの未消去領域のデータに基づいて一時的に保存されているリードインエリアの情報を修正して、修正されたリードインエリアの情報を光ディスクのリードインエリアに書き込んでリードインエリアを復元し、光ディスクの未消去領域のデータを復元するようにしているので、光ディスクの全面消去の実行中に、光ディスクの全面消去の実行の中止を指令して光ディスクの全面消去の実行を中止させて、光ディスクの未消去データを復元することができる。
請求項２記載の発明に係るディスク装置によれば、光ディスクのリードインエリアの情報を読み出して、読み出された情報を一時的に保存し、光ディスクのリードインエリアを消去して、光ディスクの外周側から光ディスクのデータを順次消去して光ディスクのデータを全面消去し、光ディスクの全面消去の実行中に、光ディスクの全面消去の実行の停止が指令されたとき、光ディスクの全面消去の実行を停止し、一時的に保存されているリードインエリアの情報を光ディスクの未消去領域のデータに基づいて光ディスクのリードインエリアに書き込んでリードインエリアを復元し、光ディスクの未消去領域のデータを復元するようにしているので、光ディスクの全面消去の実行中に、光ディスクの全面消去の実行の中止を指令して光ディスクの全面消去の実行を中止させて、光ディスクの未消去データを復元することができる。
請求項３記載の発明に係るディスク装置によれば、光ディスクの未消去領域のデータに基づいて一時的に保存されているリードインエリアの情報を修正して、修正されたリードインエリアの情報を光ディスクのリードインエリアに書き込んでリードインエリアを復元し、光ディスクの未消去領域のデータを復元するようにしているので、光ディスクの未消去領域に対応したリードインエリアの情報を光ディスクのリードインエリアに書き込むことができ、光ディスクの未消去データを復元することができる。
請求項４記載の発明に係るディスク装置によれば、リモコン装置に設けられた停止キーにより光ディスクの全面消去の実行を停止するようにしているので、リモコン装置に新たな操作キーを設けなくても、リモコン装置に設けられた停止キーを操作することにより光ディスクの全面消去の実行を停止して、光ディスクの未消去領域のデータを復元することができる。
請求項５記載の発明に係るディスク装置によれば、ディスク装置の操作パネルに設けられた停止キーにより光ディスクの全面消去の実行を停止するようにしているので、ディスク装置の操作パネルに新たな操作キーを設けなくても、ディスク装置の操作パネルに設けられた停止キーを操作することにより光ディスクの全面消去の実行を停止して、光ディスクの未消去領域のデータを復元することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のリモコン装置を示す説明図であり、図３は本発明の一実施例のディスク装置の光ディスクの消去の選択画面の表示例を示す説明図であり、図４は本発明の一実施例のディスク装置の光ディスクの全面消去の動作を示す説明図であり、図５は本発明の一実施例のディスク装置の光ディスクの全面消去の動作を示すフローチャートであり、図６は本発明の一実施例のディスク装置の光ディスクの高速消去の動作を示す説明図であり、図７は本発明の一実施例のディスク装置の光ディスクの高速消去の動作を示すフローチャートである。
まず、図１の本発明の一実施例のディスク装置の構成を示すブロック図を基に説明する。
ディスク装置１は、光ディスク２にレーザ光を照射して映像音声信号を光ディスク２に記録するとともに、光ディスク２にレーザ光を照射し、その反射光を検出して映像音声信号を読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像音声信号を基準クロックに基づいて同期検出して、アナログ信号の映像音声信号をデジタル信号に変換し、デジタル信号に変換された映像音声信号を復調して、復調された映像音声信号の誤りを訂正し、所定の圧縮方式に基づいて圧縮された映像音声信号を伸張して、元の映像音声信号を復号し、復号された映像音声信号を所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化して、符号化された映像音声信号をアナログ信号の映像音声信号に変換して出力するとともに、映像音声信号をデジタル信号に変換して、所定の圧縮方式に基づいて圧縮し、圧縮された映像音声信号を光ピックアップ３により光ディスク２に記録する信号処理回路６と、文字情報信号を映像信号に重畳して、文字情報をモニタ装置３０に表示するＯＳＤ（Ｏｎ−Ｓｃｒｅｅｎ  Ｃｈａｒａｃｔｅｒ  Ｄｉｓｐｌａｙ）回路７と、ディスク装置１のシステム全体を制御するマイコン８と、情報等を一時的に保存するバッファメモリ９と、リモコン装置２０から送信された赤外線信号のリモコン信号を受信して、所定の電気信号に変換するリモコン受信部１０とで構成されている。
また、リモコン装置２０には、図２に示すように、メニュ画面の表示を指令するメニュキー２０ａ、メニュ画面に表示された選択項目を選択するカーソルキー２０ｂ、カーソルキー２０ｂによって選択された選択項目の選択を決定する決定キー２０ｃ、光ディスクの再生の停止と消去の中止とを指令する停止キー２０ｄ等の複数の操作キーが設けられていて、それらの操作キーを操作することによりディスク装置１を所望動作させることができるようになっている。
以上のように構成されたディスク装置について、以下その動作について説明する。
リモコン装置２０の操作キーが操作されると、操作された操作キーのリモコン信号がリモコン装置２０から赤外線信号のリモコン信号として送信され、リモコン受信部１０により受信され、所定の電気信号に変換されてマイコン８に送出される。メニュ画面の表示を指令するリモコン装置２０のメニュキー２０ａのリモコン信号を受信すると、マイコン８は、文字情報信号と制御信号とをＯＳＤ回路７に送出して、モニタ装置３０の画面にメニュ画面を表示する（図示せず）。そして、リモコン装置２０のカーソルキー２０ｂと決定キー２０ｃとの操作によりメニュ画面のディスクの消去が選択されると、マイコン８は、文字情報信号と制御信号とをＯＳＤ回路７に送出して、モニタ装置３０の画面３０ａにディスクの消去の選択画面を表示する（図３参照）。
リモコン装置２０のカーソルキー２０ｂと決定キー２０ｃとの操作によりディスクの消去の選択画面の全面消去が選択されると（図３参照）、マイコン８は、サーボ回路５に制御信号を送出して、スピンドルモータ４とスレッドモータ（図示せず）とを駆動し、光ピックアップ３により光ディスク２のリードインエリアの情報を読み出して（図４（ａ）参照）、読み出されたリードインエリアの情報をバッファメモリ９に一時的に保存し、光ディスク２のリードインエリアを消去する（図４（ｂ）参照）。そして、マイコン８は、サーボ回路５に制御信号を送出して、スピンドルモータ４とスレッドモータ（図示せず）とを駆動し、光ピックアップ３により光ディスク２の外周側から光ディスク２のデータを順次消去し（図４（ｃ）参照）、光ディスク２の全てのデータを消去すると、光ディスクの全面消去を終了する。
光ディスクの全面消去の実行中に、リモコン装置２０の停止キー２０ｄの操作により光ディスクの全面消去の実行の中止が指令されると、マイコン８は、光ディスクの全面消去の実行を中止し、バッファメモリ９に保存されているリードインエリアの情報を読み出して、読み出されたリードインエリアの情報を光ディスク２の未消去領域のデータに基づいて修正し、サーボ回路５に制御信号を送出して、スピンドルモータ４とスレッドモータ（図示せず）とを駆動し、修正されたリードインエリアの情報を光ピックアップ３により光ディスク２のリードインエリアに書き込んでリードインエリアを復元し、光ピックアップ３により光ディスク２のリードアウトエリアに所定のデータを書き込んで、光ディスク２の未消去領域のデータが読み出せるように復元する（図４（ｄ）参照）。なお、光ディスクの全面消去の実行により既に消去されたデータを復元することはできない（図４（ｄ）参照）。
また、リモコン装置２０のカーソルキー２０ｂと決定キー２０ｃとの操作により光ディスクの消去の選択画面の高速消去が選択されると（図３参照）、マイコン８は、サーボ回路５に制御信号を送出して、スピンドルモータ４とスレッドモータ（図示せず）とを駆動し、光ピックアップ３により光ディスク２のリードインエリアの情報を読み出して（図６（ａ）参照）、読み出されたリードインエリアの情報をバッファメモリ９に一時的に保存し、光ピックアップ３により光ディスク２のリードインエリアを消去する（図６（ｂ）参照）。なお、光ディスクの高速消去の場合、リードインエリアの情報のみが消去され、記録済み領域のデータ、リードアウトエリアのデータは消去されないようになっているので、光ディスクを全面消去するよりも短時間で光ディスクを消去することができる。
リモコン装置２０の停止キー２０ｄの操作により高速消去の中止が指令されると、マイコン８は、バッファメモリ９に保存されているリードインエリアの情報を読み出し、サーボ回路５に制御信号を送出して、スピンドルモータ４とスレッドモータ（図示せず）とを駆動し、読み出されたリードインエリアの情報を光ピックアップ３により光ディスク２のリードインエリアに書き込んでリードインエリアを復元し、光ディスク２の記録済み領域のデータが読み出せるように復元する（図６（ｃ）参照）。
また、図５の本発明の一実施例のディスク装置の光ディスクの全面消去の動作を示すフローチャートを基に説明する。
リモコン装置のカーソルキーと決定キーとの操作によりディスクの消去の選択画面の全面消去が選択されると、ステップＳ１からステップＳ２に進み、ステップＳ２で、光ディスクのリードインエリアの情報が読み出されて、読み出されたリードインエリアの情報がバッファメモリに一時的に保存され、リードインエリアが消去されて、ステップＳ３に進む。
ステップＳ３で、光ディスクの外周側から光ディスクのデータが順次消去され、ステップＳ４に進む。
ステップＳ４で、光ディスクの全てのデータが消去され、光ディスクの全面消去が終了したか否かが判断され、光ディスクの全てのデータが消去され、光ディスクの全面消去が終了した場合、ステップＳ７に進んで処理を終了し、光ディスクの全面消去が終了していない場合、ステップＳ５に進む。
ステップＳ５で、リモコン装置の停止キーの操作により光ディスクの全面消去の実行の中止が指令されたか否かが判断され、光ディスクの全面消去の実行の中止が指令された場合、ステップＳ６に進み、光ディスクの全面消去の実行の中止が指令されていない場合、ステップＳ３に戻って、ステップＳ３からのステップを繰り返す。
ステップＳ６で、光ディスクの全面消去の実行が中止され、バッファメモリに保存されているリードインエリアの情報が光ディスクの未消去領域のデータに基づいて修正されて、光ディスクのリードインエリアに書き込まれてリードインエリアが復元され、光ディスクのリードアウトエリアに所定のデータが書き込まれて、光ディスクの未消去領域のデータが読み出せるように復元され、ステップＳ７に進んで処理を終了する。
また、図７の本発明の一実施例のディスク装置の光ディスクの高速消去の動作を示すフローチャートを基に説明する。
リモコン装置のカーソルキーと決定キーとの操作により光ディスクの消去の選択画面の高速消去が選択されると、ステップＳ１１からステップＳ１２に進み、ステップＳ１２で、光ディスクのリードインエリアに記録された情報が読み出されて、読み出されたリードインエリアの情報がバッファメモリに一時的に保存され、光ディスクのリードインエリアが消去されて、ステップＳ１３に進む。
ステップＳ１３で、リモコン装置の停止キーの操作により高速消去の実行の中止が指令されたか否かが判断され、リモコン装置の停止キーの操作により高速消去の実行の中止が指令された場合、ステップＳ１４に進み、リモコン装置の停止キーが操作されず他のキーが操作された場合、ステップＳ１５に進んで処理を終了する。
ステップＳ１４で、バッファメモリに保存されているリードインエリアの情報が光ディスクのリードインエリアに書き込まれてリードインエリアが復元され、光ディスクの記録済み領域のデータが読み出せるように復元されて、ステップＳ１５に進んで処理を終了する。
以上、本発明を実施するための最良の形態について詳述したが、本発明はこれに限らず、当業者の通常の知識の範囲内でその変形や改良が可能である。例えば、リモコン装置に設けられた停止キーの操作により、光ディスクの全面消去、或いは高速消去の中止を指令することを説明したが、停止キーに限定されるものではなく、他の操作キーであってもよい。また、リモコン装置に設けられた操作キーをディスク装置の操作パネルにも設けるようにしてもよい。
【図面の簡単な説明】
【０００７】
【図１】本発明の一実施例のディスク装置の構成を示すブロック図である。
【図２】本発明の一実施例のディスク装置のリモコン装置を示す説明図である。
【図３】本発明の一実施例のディスク装置の光ディスクの消去の選択画面の表示例を示す説明図である。
【図４】本発明の一実施例のディスク装置の光ディスクの全面消去の動作を示す説明図である。
【図５】本発明の一実施例のディスク装置の光ディスクの全面消去の動作を示すフローチャートである。
【図６】本発明の一実施例のディスク装置の光ディスクの高速消去の動作を示す説明図である。
【図７】本発明の一実施例のディスク装置の光ディスクの高速消去の動作を示すフローチャートである。
【符号の説明】
【０００８】
１  ディスク装置
２  光ディスク
３  光ピックアップ
４  スピンドルモータ
５  サーボ回路
６  信号処理回路
７  ＯＳＤ回路
８  マイコン
９  バッファメモリ
１０  リモコン受信部
２０  リモコン装置
２０ａ  メニュキー
２０ｂ  カーソルキー
２０ｃ  決定キー
２０ｄ  停止キー
３０  モニタ装置
３０ａ  画面
【図１】
2005166178.tif 000003
【図２】
2005166178.tif 000004
【図３】
2005166178.tif 000005
【図４】
2005166178.tif 000006
【図５】
2005166178.tif 000007
【図６】
2005166178.tif 000008
【図７】
2005166178.tif 000009